(57)【要約】      （修正有）【課題】ローラー運動器具及びローラー運動器具セットを提供する。【解決手段】ローラー運動器具は、第１中央貫通穴１１２を有するベース１１０と、回転可能にベース１１０に接続され、且つ第１中央貫通穴１１２に対応する第２中央貫通穴１２２、並びに互いに直交する第１直径部及び第２直径部を有する回転盤１２０と、それぞれ回転盤１２０の頂面の法線方向に沿って延出するように第１直径部の両端に設けられ、頂部に２つのオスバックル１３２ａ、１３２ｂが設けられる２つのサポートシート１３０ａ、１３０ｂと、それぞれ回転盤１２０の頂面に凹むように第２直径部の両端に設けられ、オスバックル１３２ａ、１３２ｂとの両方によってプリセットアセンブリが取り外し可能に安定に接続される２つのメスバックル１４０ａ、１４０ｂと、を含み、プリセットアセンブリに合わせて様々な運動器具に組み合わせることができる。【選択図】図１Ｂ
0003215072.tif 000002
【実用新案登録請求の範囲】
【請求項１】
プリセットアセンブリに合わせるためのローラー運動器具において、
第１中央貫通穴を有するベースと、
回転可能に前記ベースに接続され、且つ前記第１中央貫通穴に対応する第２中央貫通穴、並びに互いに直交する第１直径部及び第２直径部を有する回転盤と、
それぞれ前記回転盤の頂面の法線方向に沿って延出するように前記第１直径部の両端に設けられ、頂部に２つのオスバックルが設けられる２つのサポートシートと、
それぞれ前記回転盤の前記頂面に凹むように前記第２直径部の両端に設けられ、前記オスバックルにマッチングされ、前記オスバックルとの両方によって前記プリセットアセンブリが取り外し可能に安定に接続される２つのメスバックルと、
を含むローラー運動器具。
【請求項２】
前記オスバックルは、弾性オスバックル部材であり、且つ前記サポートシートに前記オスバックルの係合状態を解除するための解除ボタンが個別に設けられる請求項１に記載のローラー運動器具。
【請求項３】
前記サポートシートは、その間に踏み部を形成するように、互いにプリセット距離をあける請求項１に記載のローラー運動器具。
【請求項４】
前記ベースの底面に、前記底面の直径部の両端に位置する少なくとも２つの位置決め溝が設けられる請求項１に記載のローラー運動器具。
【請求項５】
前記底面の前記直径部は、前記回転盤の前記第１直径部又は前記第２直径部に平行である請求項４に記載のローラー運動器具。
【請求項６】
第１中央貫通穴を有するベースと、
回転可能に前記ベースに接続され、且つ前記第１中央貫通穴に対応する第２中央貫通穴、並びに互いに直交する第１直径部及び第２直径部を有する回転盤と、
それぞれ前記回転盤の頂面の法線方向に沿って延出するように前記第１直径部の両端に設けられ、頂部に２つのオスバックルが設けられる２つのサポートシートと、
それぞれ前記回転盤の前記頂面に凹むように前記第２直径部の両端に設けられ、前記オスバックルにマッチングされる２つのメスバックルと、
を個別に含む第１ローラー運動器具及び第２ローラー運動器具を含み、
前記第１ローラー運動器具の前記オスバックルは、前記第２ローラー運動器具における前記メスバックルに係合され、且つ前記第２ローラー運動器具の前記オスバックルは、前記第１ローラー運動器具における前記メスバックルに係合されることで、前記第１ローラー運動器具と前記第２ローラー運動器具とは一つのローラー運動器具を構成するように対向してドッキングされるローラー運動器具セット。
【請求項７】
前記ローラー運動器具をその周りに枢転させるように、前記ローラー運動器具における前記第１ローラー運動器具の前記第１中央貫通穴及び前記第２中央貫通穴を通り抜け、且つ前記第２ローラー運動器具の前記第１中央貫通穴及び前記第２中央貫通穴を通り抜ける接続ロッドと、
それぞれ前記接続ロッドの両端に覆設される２つのハンドルと、
を更に含み、
前記ローラー運動器具、前記接続ロッド及び前記ハンドルがローラー運動操作に使用される請求項６に記載のローラー運動器具セット。
【請求項８】
第１中央貫通穴を有するベースと、回転可能に前記ベースに接続され、且つ前記第１中央貫通穴に対応する第２中央貫通穴、並びに互いに直交する第１直径部及び第２直径部を有する回転盤と、それぞれ前記回転盤の頂面の法線方向に向かって延出するように前記第１直径部の両端に設けられ、頂部に第１距離を離れる２つのオスバックルが設けられる２つのサポートシートと、それぞれ前記回転盤の前記頂面に凹むように前記第２直径部の両端に設けられ、前記オスバックルにマッチングされる２つの第１メスバックルと、を含むローラー運動器具と、
前記２つのオスバックルにマッチングされる２つの第２メスバックルが表面に設けられ、且つ前記２つの第２メスバックルが前記第１距離に等しい第２距離を離れ、前記ローラー運動器具の前記オスバックルが取り外し可能に前記ハンドルにおける前記第２メスバックルに係合されるハンドルと、
を含み、
前記ローラー運動器具と前記ハンドルのセットが合わせて腕立て伏せ操作に使用されるローラー運動器具セット。
【請求項９】
前記ハンドルには、前記回転盤が前記ベースにおいて回転する回数を検出するためのセンサが設けられる請求項８に記載のローラー運動器具セット。  
【請求項１０】
プリセットアセンブリに合わせるためのローラー運動器具において、
第１中央貫通穴を有するベースと、
回転可能に前記ベースに接続され、且つ前記第１中央貫通穴に対応する第２中央貫通穴、並びに第１直径部及び第２直径部を有する回転盤と、
それぞれ前記回転盤の頂面の法線方向に沿って延出するように前記第１直径部の両端に設けられ、その中の少なくとも１つにオスバックルが設けられる２つのサポートシートと、
それぞれ前記第２直径部の両端に位置するように、前記回転盤の前記頂面に設けられる２つの当接部と、
を含むローラー運動器具。
【請求項１１】
それぞれ前記回転盤の前記頂面に凹む２つのメスバックルが前記当接部に設けられ、且つ前記サポートシートの何れにも、前記オスバックルが設けられ、前記メスバックルは、前記サポートシートにおける前記オスバックルにマッチングされ、前記メスバックル及び前記サポートシートにおける前記オスバックルによって前記プリセットアセンブリが取り外し可能に安定に接続される請求項１０に記載のローラー運動器具。
【請求項１２】
前記ローラー運動器具は、同様な別のローラー運動器具に対向するようにドッキングされる場合、その前記サポートシートが前記他のローラー運動器具の前記当接部に当接し、且つ前記別のローラー運動器具の前記サポートシートが前記ローラー運動器具の前記当接部に当接することで、運動器具を形成する請求項１０に記載のローラー運動器具。
【請求項１３】
前記オスバックルは、前記サポートシートのうちの一つの頂部に設けられる請求項１０に記載のローラー運動器具。
【請求項１４】
互いに揃い且つ軸方向が前記第１直径部に平行である２つの貫通穴が前記サポートシートに設けられ、前記オスバックルは、前記貫通穴のうちの一つの下縁に設けられる請求項１０に記載のローラー運動器具。
【請求項１５】
第１中央貫通穴を有し、底面に少なくとも１つの位置決め溝が設けられるベースと、回転可能に前記ベースに接続され、且つ前記第１中央貫通穴に対応する第２中央貫通穴、並びに互いに直交する第１直径部及び第２直径部を有する回転盤と、それぞれ前記回転盤の頂面の法線方向に向かって延出するように前記第１直径部の両端に設けられ、頂部に２つのオスバックルが設けられる２つのサポートシートと、それぞれ前記回転盤の前記頂面に凹むように前記第２直径部の両端に設けられ、前記オスバックルにマッチングされる２つのメスバックルと、を個別に含む第１ローラー運動器具及び第２ローラー運動器具と、
前記第１ローラー運動器具及び前記第２ローラー運動器具の前記位置決め溝を通過するプルロープと、
を含むローラー運動器具セット。
【請求項１６】
前記プルロープは、
手のひらにより握られるハンドルと、
前記ハンドルに接続される両端と、前記ハンドルとの間に握りスペースが形成され、前記握りスペースに対応して対応する２つの位置決め穴が設けられ、且つ少なくとも１つの巻き付け部が設けられる伸長セグメントと、を有するアーチ状保護具と、
伸縮操作を行うように、一端が前記アーチ状保護具に接続され、且つ前記握りスペースを通過するように前記２つの位置決め穴に位置決めされ、前記２つの位置決め穴の間における部分が複数の指により引かれ、前記巻き付け部により対応して巻き付かれる弾性ロープと、
を含む請求項１５に記載のローラー運動器具セット。
【請求項１７】
前記巻き付け部は、凹陥溝及び前記凹陥溝内に位置するＴ形状の突出棒を含む請求項１６に記載のローラー運動器具セット。
【請求項１８】
前記プルロープは、前記伸長セグメントの異なる方向における２つの表面のそれぞれに位置する２つの前記巻き付け部を更に含む請求項１７に記載のローラー運動器具セット。
【請求項１９】
前記２つの表面の間には、一端が前記位置決め穴に対応するように繋がり、他端が外へ開放するように前記伸長セグメントの中央部に設けられる曲折通路が設けられる請求項１８に記載のローラー運動器具セット。
【請求項２０】
前記プルロープは、
手のひらにより握られるハンドルと、
前記ハンドルに接続される両端と、前記ハンドルとの間に握りスペースが形成され、前記握りスペースに対応する２つの位置決め穴が設けられ、且つ少なくとも１つの巻き付け部が設けられる伸長セグメントと、を有するアーチ状保護具と、
伸縮操作を行うように、一端が前記アーチ状保護具に接続され、且つ前記握りスペースを通過するように前記２つの位置決め穴に位置決めされ、前記巻き付け部により対応して巻き付かれる弾性ロープと、
前記弾性ロープ外に覆設されるように前記２つの位置決め穴の間に位置し、且つ複数の指により引かれる管状グリップセットと、
を含む請求項１５に記載のローラー運動器具セット。
【請求項２１】
前記管状グリップセットは軟質弾性材料で形成されている請求項２０に記載のローラー運動器具セット。
【請求項２２】
前記巻き付け部は、凹陥溝及び前記凹陥溝内に位置するＴ形状の突出棒を含む請求項２０に記載のローラー運動器具セット。
【請求項２３】
前記プルロープは、前記伸長セグメントの異なる方向における２つの表面のそれぞれに位置する２つの前記巻き付け部を更に含む請求項２２に記載のローラー運動器具セット。
【請求項２４】
前記２つの表面の間に、一端が前記位置決め穴に対応するように繋がり、他端が外へ開放するように前記伸長セグメントの中央部に設けられる曲折通路が設けられる請求項２３に記載のローラー運動器具セット。
【請求項２５】
前記弾性ロープの他端は、他の前記プルロープ、壁面又はフットパッドに位置決めされる請求項２０に記載のローラー運動器具セット。
【請求項２６】
前記プルロープは、
手のひらにより握られるハンドルと、
前記ハンドルに接続される両端と、前記ハンドルとの間に握りスペースが形成され、前記握りスペースに対応して対応する２つの開放位置決め溝が設けられ、且つ少なくとも１つの巻き付け部が設けられる伸長セグメントと、を有するアーチ状保護具と、
伸縮操作を行うように、一端が前記アーチ状保護具に接続され、且つ前記握りスペースを通過するように前記２つの開放位置決め溝に位置決めされ、前記巻き付け部により対応して巻き付かれる弾性ロープと、
前記弾性ロープ外に覆設されるように前記２つの開放位置決め溝の間に位置し、且つ複数の指により引かれる管状グリップセットと、
を含む請求項１５に記載のローラー運動器具セット。
【請求項２７】
前記ハンドルと前記アーチ状保護具とは、取り外し可能に接続される請求項２６に記載のローラー運動器具セット。
【請求項２８】
前記２つの開放位置決め溝は、前記アーチ状保護具の同一側に傾斜して設けられる請求項２６に記載のローラー運動器具セット。
【請求項２９】
前記プルロープは、前記弾性ロープ外に穿設される中空接続ヘッドを更に含み、且つ前記弾性ロープの端が前記２つの開放位置決め溝を回って通過した後で前記中空接続ヘッドに接続して位置決めされる請求項２６に記載のローラー運動器具セット。
【請求項３０】
前記２つの開放位置決め溝内の何れにも、前記弾性ロープを位置決めするための少なくとも１つの係止用突起が設けられる請求項２６に記載のローラー運動器具セット。
【考案の詳細な説明】
【技術分野】
【０００１】
本考案は、運動器具に関し、特に、ローラー運動器具及びローラー運動器具を含むローラー運動器具セットに関する。
【背景技術】
【０００２】
近年、運動の習慣が盛んになるにつれて、様々な運動器具が市販されるようになり、その中で、消費者によく購入されている新規な運動形態を与える器材はかなりある。しかしながら、普通にこれらの器材により提供される動作には制限が多いため、使用者は、一般的に、それによって僅かな動作するのみである。つまり、運動器具の変更性に乏しく、十分な面白さが提供されない。
【０００３】
例えば腕立て伏せ器具は、一般的に、一体形成された支持フレーム（又は回転盤）及びハンドル部を有する。支持フレームは床板に立てられることに用いられ、支持フレーム（又は回転盤）に接続されるハンドルを使用者が握って支持フレーム（又は回転盤）によって床板を押して、更に腕立て伏せの動作をさせるように用いられる。また、従来の腕立て伏せ器具は、使用者がその他の動作をしにくいため、多様に変化する運動形態を提供することができない。そして、長時間使用されると、使用者は、運動形態が面白くないため、運動意欲が低下する懸念がある。
【０００４】
また、例えばよく見られる腹部ホイールは、一般的に、２つのハンドル及びその間で枢転可能なローラーを有する。使用者は、両手でハンドルを握って、立った姿勢又は跪いた姿勢で腹部ホイールを推し出して引き戻すことで、ボディービルディングの目的を達成することができる。しかしながら、腹部ホイールは、同様に使用者がその他の運動をしにくいため、同様に多様に変化する運動形態を与えることができない。
【０００５】
このため、当業者にとって、制限が少なく、十分に面白い運動器を如何に設計するかは、確実に重要な問題となる。
【考案の概要】
【考案が解決しようとする課題】
【０００６】
これに鑑みて、本考案は、異なるプリセットアセンブリ或いは器具に合わせて異なる運動器具セットになり、更に、使用者は簡単に組み立てた後で運動の方式を変更することができるローラー運動器具を提供することを目的とする。
【課題を解決するための手段】
【０００７】
第１考案は、プリセットアセンブリに合わせるためのローラー運動器具において、ローラー運動器具は、第１中央貫通穴を有するベースと、回転可能にベースに接続され、且つ第１中央貫通穴に対応する第２中央貫通穴、並びに互いに直交する第１直径部及び第２直径部を有する回転盤と、それぞれ回転盤の頂面の法線方向に向かって延出するように第１直径部の両端に設けられ、頂部に２つのオスバックルが設けられる２つのサポートシートと、それぞれ回転盤の頂面に凹むように第２直径部の両端に設けられ、前記オスバックルにマッチングされ、前記オスバックルとの両方によってプリセットアセンブリが取り外し可能に安定に接続される２つのメスバックルと、を含む。
このように、第１考案のローラー運動器具は、多くの変更性を提供することで、使用者の運動意欲を効果的に向上させて、使用者の運動効果を改善することができる。
【０００８】
第１考案の一実施例において、前記オスバックルは、弾性オスバックル部材であり、且つ前記サポートシートに前記オスバックルの係合状態を解除するための解除ボタンが個別に設けられる。
【０００９】
第１考案の一実施例において、前記サポートシートは、その間に踏み部を形成するように、互いにプリセット距離をあける。
【００１０】
第１考案の一実施例において、ベースの底面に、底面の直径部の両端に位置する少なくとも２つの位置決め溝が設けられる。
【００１１】
第１考案の一実施例において、底面の直径部は、回転盤の第１直径部又は第２直径部に平行である。
【００１２】
第２考案は、第１中央貫通穴を有するベースと、回転可能にベースに接続され、且つ第１中央貫通穴に対応する第２中央貫通穴、並びに互いに直交する第１直径部及び第２直径部を有する回転盤と、それぞれ回転盤の頂面の法線方向に向かって延出するように第１直径部の両端に設けられ、頂部に２つのオスバックルが設けられる２つのサポートシートと、それぞれ回転盤の頂面に凹むように第２直径部の両端に設けられ、前記オスバックルにマッチングされる２つのメスバックルと、を個別に含む第１ローラー運動器具及び第２ローラー運動器具を含み、第１ローラー運動器具の前記オスバックルは、第２ローラー運動器具における前記メスバックルに係合され、且つ第２ローラー運動器具の前記オスバックルは、第１ローラー運動器具における前記メスバックルに係合され、第１ローラー運動器具と第２ローラー運動器具とはローラー運動器具になるように対向してドッキングされるローラー運動器具セットを提供する。
このように、第２考案のローラー運動器具セットは、多くの変更性を提供することで、使用者の運動意欲を効果的に向上させて、使用者の運動効果を改善することができる。
【００１３】
第２考案の一実施例において、前記運動器具セットは、ローラー運動器具をその周りに枢転させるように、ローラー運動器具における第１ローラー運動器具の第１中央貫通穴及び第２中央貫通穴を通り抜け、且つ第２ローラー運動器具の第１中央貫通穴及び第２中央貫通穴を通り抜ける接続ロッドと、それぞれ接続ロッドの両端に覆設される２つのハンドルと、を更に含み、ローラー運動器具、接続ロッド及び前記ハンドルがローラー運動操作に好適に使用される。
【００１４】
第３考案は、第１中央貫通穴を有するベースと、回転可能にベースに接続され、且つ第１中央貫通穴に対応する第２中央貫通穴、並びに互いに直交する第１直径部及び第２直径部を有する回転盤と、それぞれ回転盤の頂面の法線方向に向かって延出するように第１直径部の両端に設けられ、頂部に第１距離を離れる２つのオスバックルが設けられる２つのサポートシートと、それぞれ回転盤の頂面に凹むように第２直径部の両端に設けられ、前記オスバックルにマッチングされる２つの第１メスバックルと、を含むローラー運動器具と、
２つのオスバックルにマッチングされる２つの第２メスバックルが表面に設けられ、且つ２つの第２メスバックルが第１距離に等しい第２距離を離れ、ローラー運動器具の前記オスバックルが取り外し可能にハンドルにおける前記第２メスバックルに係合されるハンドルと、を含み、
ローラー運動器具とハンドルのセットが合わせて腕立て伏せ操作に好適に使用されるローラー運動器具セットを提供する。
このように、第３考案のローラー運動器具セットは、多くの変更性を提供することで、使用者の運動意欲を効果的に向上させて、使用者の運動効果を改善することができる。
【００１５】
第３考案の一実施例において、ハンドルには、回転盤がベースにおいて回転する回数を検出するためのセンサが設けられる。
【００１６】
第４考案は、プリセットアセンブリに合わせるためのローラー運動器具において、第１中央貫通穴を有するベースと、回転可能に前記ベースに接続され、且つ第１中央貫通穴に対応する第２中央貫通穴、並びに互いに直交する第１直径部及び第２直径部を有する回転盤と、それぞれ前記回転盤の頂面の法線方向に向かって延出するように前記第１直径部の両端に設けられ、その中の少なくとも１つにオスバックルが設けられる２つのサポートシートと、前記回転盤の前記頂面に設けられ、且つそれぞれ前記第２直径部の両端に位置する２つの当接部と、を含むローラー運動器具を提供する。
このように、第４考案のローラー運動器具は、多くの変更性を提供することで、使用者の運動意欲を効果的に向上させて、使用者の運動効果を改善することができる。
【００１７】
第４考案の一実施例において、前記２つの当接部に、それぞれ前記回転盤の前記頂面に凹んで、前記オスバックルにマッチングされ、前記オスバックルとの両方によって前記プリセットアセンブリが取り外し可能に安定に接続される２つのメスバックルが設けられる。
【００１８】
第４考案の一実施例において、前記ローラー運動器具は、同じ別のローラー運動器具に対向するようにドッキングされる場合、その前記サポートシートが前記他のローラー運動器具の前記当接部に当接し、且つ前記別のローラー運動器具の前記サポートシートが前記ローラー運動器具の前記当接部に当接することで、運動器具を形成する。
【００１９】
第４考案の一実施例において、前記オスバックルは、前記サポートシートのうちの一つの頂部に設けられる。
【００２０】
第４考案の一実施例において、互いに揃い且つ軸方向が前記第１直径部に平行である２つの貫通穴が前記サポートシートに設けられ、前記オスバックルは、前記貫通穴のうちの一つの下縁に設けられる。
【００２１】
第５考案は、第１中央貫通穴を有し、底面に少なくとも１つの位置決め溝が設けられるベースと、回転可能にベースに接続され、且つ第１中央貫通穴に対応する第２中央貫通穴、並びに互いに直交する第１直径部及び第２直径部を有する回転盤と、それぞれ回転盤の頂面の法線方向に向かって延出するように第１直径部の両端に設けられ、頂部に２つのオスバックルが設けられる２つのサポートシートと、それぞれ回転盤の頂面に凹むように第２直径部の両端に設けられ、前記オスバックルにマッチングされる２つのメスバックルと、を個別に含む第１ローラー運動器具及び第２ローラー運動器具と、第１ローラー運動器具及び第２ローラー運動器具の前記位置決め溝を通過するプルロープと、を含むローラー運動器具セットを提供する。
このように、第５考案のローラー運動器具セットは、多くの変更性を提供することで、使用者の運動意欲を効果的に向上させて、使用者の運動効果を改善することができる。
【００２２】
第５考案の一実施例において、プルロープは、手のひらにより握られるハンドルと、ハンドルに接続される両端と、ハンドルとの間に握りスペースが形成され、握りスペースに対応する２つの位置決め穴が設けられ、且つ少なくとも１つの巻き付け部が設けられる伸長セグメントと、を有するアーチ状保護具と、伸縮操作をするように、弾性ロープの一端がアーチ状保護具に接続され、且つ握りスペースを通過するように２つの位置決め穴に位置決めされ、複数の指により引かれ、巻き付け部により対応して巻き付けられる弾性ロープと、を含む。
【００２３】
第５考案の一実施例において、巻き付け部は、凹陥溝及び凹陥溝内に位置するＴ形状の突出棒を含む。
【００２４】
第５考案の一実施例において、プルロープは、それぞれ伸長セグメントの異なる方向における２つの表面に位置する２つの巻き付け部を更に含む。
【００２５】
第５考案の一実施例において、２つの表面の間には、一端が位置決め穴に対応するように繋がり、他端が外へ開放するように伸長セグメントの中央部に設けられる曲折通路が設けられる。
【００２６】
第５考案の一実施例において、プルロープは、手のひらにより握られるハンドルと、ハンドルに接続される両端と、ハンドルとの間に握りスペースが形成され、握りスペースに対応して対応する２つの位置決め穴が設けられ、且つ少なくとも１つの巻き付け部が設けられる伸長セグメントと、を有するアーチ状保護具と、伸縮操作をするように、一端がアーチ状保護具に接続され、且つ握りスペースを通過するように２つの位置決め穴に位置決めされ、巻き付け部により対応して巻き付かれる弾性ロープと、弾性ロープ外に覆設されるように２つの位置決め穴の間に位置し、且つ複数の指により引かれる管状グリップセットと、を含む。
【００２７】
第５考案の一実施例において、管状グリップセットは軟質弾性材料で形成されている。
【００２８】
第５考案の一実施例において、巻き付け部は、凹陥溝及び凹陥溝内に位置するＴ形状の突出棒を含む。
【００２９】
第５考案の一実施例において、プルロープは、それぞれ伸長セグメントの異なる方向における２つの表面に位置する２つの巻き付け部を更に含む。
【００３０】
第５考案の一実施例において、２つの表面の間に、一端が対応するように位置決め穴に繋がり、他端が外へ開放するように伸長セグメントの中央部に設けられる曲折通路が設けられる。
【００３１】
第５考案の一実施例において、弾性ロープの他端は、他のプルロープ、壁面又はフットパッドに位置決めされる。
【００３２】
第５考案の一実施例において、プルロープは、手のひらにより握られるハンドルと、ハンドルに接続される両端と、ハンドルとの間に握りスペースが形成され、握りスペースに対応して対応する２つの開放位置決め溝が設けられ、且つ少なくとも１つの巻き付け部が設けられる伸長セグメントと、を有するアーチ状保護具と、伸縮操作をするように、一端がアーチ状保護具に接続され、且つ握りスペースを通過するように２つの開放位置決め溝に位置決めされ、巻き付け部により対応して巻き付かれる弾性ロープと、弾性ロープ外に覆設されるように２つの開放位置決め溝の間に位置し、複数の指により引かれる管状グリップセットと、を含む。
【００３３】
第５考案の一実施例において、ハンドルとアーチ状保護具とは、取り外し可能に接続される。
【００３４】
第５考案の一実施例において、２つの開放位置決め溝は、アーチ状保護具の同一側に傾斜して設けられる。
【００３５】
第５考案の一実施例において、プルロープは、弾性ロープ外に穿設される中空接続ヘッドを更に含み、且つ弾性ロープの端が２つの開放位置決め溝を回って通した後で中空接続ヘッドに接続して位置決めされる。
【００３６】
第５考案の一実施例において、２つの開放位置決め溝内の何れにも、弾性ロープを位置決めする少なくとも１つの係止用突起が設けられる。
【図面の簡単な説明】
【００３７】
【図１Ａ】本考案の第１実施例による第１ローラー運動器具を示す上面図である。
【図１Ｂ】図１Ａによる第１ローラー運動器具を示す斜視図である。
【図１Ｃ】図１Ａによる第１ローラー運動器具を示す側面図である。
【図２Ａ】本考案の第２実施例によるハンドル運動器具を示す斜視図である。
【図２Ｂ】図２Ａによるハンドル運動器具を示す側面図である。
【図２Ｃ】図２Ａによるハンドル運動器具を示す正面図である。
【図３Ａ】本考案の第３実施例による第１ローラー運動器具とその他のプリセットアセンブリを運動器具に組み合わせる様子の模式図である。
【図３Ｂ】図３Ａの運動器具を示す側面図である。
【図３Ｃ】図３Ａによる組み合わせられた運動器具を示す模式図である。
【図４Ａ】本考案の第４実施例によるローラー運動器具セットを組み立てる様子の上面図である。
【図４Ｂ】図４ＡのＡ−Ａ線分に沿う側断面図である。
【図４Ｃ】図４Ａによる組み立てられたローラー運動器具セットを示す斜視図である。
【図５Ａ】本考案の第５実施例による運動器具セットを組み立てる様子の模式図である。
【図５Ｂ】図５Ａによる組み立てられた運動器具セットを示す模式図である。
【図６Ａ】本考案の第６実施例によるローラー運動器具セットを示す正面図である。
【図６Ｂ】図６Ａによるローラー運動器具セットを示す側面図である。
【図７Ａ】本考案の第７実施例による運動器具セットを示す上面図である。
【図７Ｂ】図７Ａによる運動器具セットを示す側面図である。
【図７Ｃ】図７Ａによる運動器具セットを示す下面図である。
【図８Ａ】本考案の第８実施例による運動器具セットを組み立てる様子の模式図である。
【図８Ｂ】図８Ａによるハンドルを組み立てる様子の模式図である。
【図８Ｃ】図８Ａによる組み立てられた運動器具セットを示す模式図である。
【図９】本考案の第９実施例によるローラー運動器具を示す模式図である。
【図１０Ａ】本考案の第１０実施例によるハンドル運動器具とローラー運動器具を組み合わせる様子の側断面図である。
【図１０Ｂ】ローラー運動器具を示す側面図である。
【図１０Ｃ】図１０Ａによるハンドル運動器具とローラー運動器具を運動器具に組み合わせる様子の側断面図である。
【図１１】本考案の第１１実施例による組み合わせた運動器具セットの斜視模式図である。
【図１２Ａ】図１１の部分断面拡大模式図である。
【図１２Ｂ】図１２Ａのスラストフィットネス模式図である。
【図１３】プルロープの操作模式図である。
【図１４】プルロープの弾性ロープの重なり合い伸縮数を示す操作模式図である。
【図１５】図１４の部分領域の拡大透視図である。
【図１６】本考案の第１２実施例による運動器具セットの分解斜視図である。
【図１７】図１６のプルロープを示す側面模式図である。
【図１８】図１６のプルロープの組み合わせ状態を示す斜視図である。
【考案を実施するための形態】
【００３８】
以下、図面で本考案の複数の実施例を説明する。明らかに説明するために、下記で多くの実際の細部を合わせて説明する。しかしながら、理解すべきなのは、これらの実際の細部が、本考案を制限するためのものではない。つまり、本考案の実施形態の一部において、これらの実際の細部は、必ずしも必要ではない。また、図面を簡略化するために、ある従来慣用の構造及び要素については、図面において簡単で模式的に示され、且つ同一の要素は同じ符号で示される。
【００３９】
（第１実施例）
図１Ａ、図１Ｂ及び図１Ｃを参照されたい。図１Ａは本考案の一実施例による第１ローラー運動器具１００を示す上面図である。図１Ｂは図１Ａによる第１ローラー運動器具１００を示す斜視図である。図１Ｃは図１Ａによる第１ローラー運動器具１００を示す側面図である。
本実施例において、第１ローラー運動器具１００は、プリセットアセンブリに合わせて多種の運動器具に組み合わせることができるので、使用者により多種の運動操作を行うことができる。以下で詳しく説明する。
【００４０】
図１Ａ〜図１Ｃに示すように、第１ローラー運動器具１００は、ベース１１０、回転盤１２０、サポートシート１３０ａ、サポートシート１３０ｂ、メスバックル１４０ａ及びメスバックル１４０ｂを含む。ベース１１０は、第１中央貫通穴１１２を有する。回転盤１２０は、回転可能にベース１１０に接続され、且つ第１中央貫通穴１１２に対応する第２中央貫通穴１２２、並びに第１直径部Ｄ１及び第２直径部Ｄ２を有する。第１直径部Ｄ１及び第２直径部Ｄ２は互いに直交する。サポートシート１３０ａ及びサポートシート１３０ｂは、それぞれ回転盤１２０の頂面１２４の法線方向Ｎ１に沿って延出するように第１直径部Ｄ１の両端に設けられ、頂部にオスバックル１３２ａ及びオスバックル１３２ｂが個別に設けられる。メスバックル１４０ａ及びメスバックル１４０ｂは、回転盤１２０の頂面１２４に凹むようにそれぞれ第２直径部Ｄ２の両端に設けられ、オスバックル１３２ａ及びオスバックル１３２ｂにマッチングされる。メスバックル１４０ａ、メスバックル１４０ｂ、オスバックル１３２ａ及びオスバックル１３２ｂによってプリセットアセンブリが取り外し可能に安定に接続される。
【００４１】
一実施例において、オスバックル１３２ａ及びオスバックル１３２ｂは、弾性オスバックル部材であってよく、サポートシート１３０ａ（又はサポートシート１３０ｂ）にサポートシート１３０ａの係合状態を解除するための解除ボタン１３４が設けられてよい。なお、サポートシート１３０ａとサポートシート１３０ｂとの間に踏み部１５０を形成するように、サポートシート１３０ａ及びサポートシート１３０ｂは、互いにプリセット距離ＤＤをあけてよい。且つ、ベース１１０の底面１１４に、底面１１４の直径部の両端に位置する少なくとも２つの位置決め溝１１４ａが設けられる。理解すべきなのは、図１Ｂは限られた視角の図であり、図示された２つの位置決め溝１１４ａの反対側にも何れにも図示しない位置決め溝がある。
【００４２】
異なる実施例において、前記プリセットアセンブリは、例えば、下記の図２Ａ、図２Ｂ及び図２Ｃに示すハンドル運動器具２００のような、第１ローラー運動器具１００と組み合わせて所定の機能を達成させることのできる如何なる運動器具であってよい。
【００４３】
（第２実施例）
図２Ａ、図２Ｂ及び図２Ｃを参照されたい。図２Ａは、本考案の一実施例によるハンドル運動器具２００を示す斜視図である。図２Ｂは、図２Ａによるハンドル運動器具２００を示す側面図である。図２Ｃは、図２Ａによるハンドル運動器具２００を示す正面図である。
図２Ａ、図２Ｂ及び図２Ｃに示すように、ハンドル運動器具２００は、ハンドル本体２１０、チャンバー２２０、弾性係合部２３０、着脱ボタン２４０、メスバックル２５０ａ及びメスバックル２５０ｂを含む。チャンバー２２０は、ハンドル本体２１０の軸方向２１２に沿って設けられるようにハンドル本体２１０の中に設けられ、ハンドル本体２１０の一端に向かう開口２２２を有する。弾性係合部２３０は、チャンバー２２０内に設けられ、開口２２２からチャンバー２２０に挿入されるその他のプリセットアセンブリを係合することに用いられる。着脱ボタン２４０は、弾性係合部２３０に接続されるようにハンドル本体２１０の頂面２１４に設けられ、弾性係合部２３０の係合状態を解除することに用いられる。メスバックル２５０ａ及びメスバックル２５０ｂは、軸方向２１２に平行に並べるように、ハンドル本体２１０の底面２１６に位置してよい。
【００４４】
一実施例において、使用者が容易に握るように、メスバックル２５０ａとメスバックル２５０ｂとの間の距離は、手のひらより大きくなってよい。且つ、メスバックル２５０ａ及びメスバックル２５０ｂは、更に、図１Ａの第１ローラー運動器具１００のオスバックル１３２ａ及びオスバックル１３２ｂにマッチングされることができる。つまり、第１ローラー運動器具１００のオスバックル１３２ａ及びオスバックル１３２ｂは、ハンドル運動器具２００のメスバックル２５０ａ及びメスバックル２５０ｂのそれぞれに係合されることができる。
【００４５】
（第３実施例）
図３Ａ、図３Ｂ及び図３Ｃを参照されたい。図３Ａは、本考案の一実施例による第１ローラー運動器具１００とその他のプリセットアセンブリを運動器具３００’に組み合わせる様子の模式図である。図３Ｂは、図３Ａの運動器具３００’を示す側面図である。図３Ｃは、図３Ａによる組み合わせられた運動器具３００’を示す模式図である。
本実施例において、プリセットアセンブリは、例えば、第２ローラー運動器具１００’、ハンドル３１０ａ、ハンドル３１０ｂ及び接続ロッド３２０を含む。ハンドル３１０ａ及びハンドル３１０ｂは、図２Ａに示すようなハンドル運動器具２００と完全に同じであってもよい。ただし、これに制限されない。
【００４６】
第２ローラー運動器具１００’は、例えば、第１ローラー運動器具１００と完全に同じであってもよい。この場合、第１ローラー運動器具１００のオスバックル１３２ａ及びオスバックル１３２ｂは第２ローラー運動器具１００’におけるメスバックル１４０ａ’及びメスバックル１４０ｂ’にそれぞれ係合され、且つ第２ローラー運動器具１００’のオスバックル１３２ａ’は第１ローラー運動器具１００におけるメスバックル１４０ａに係合されることで、第１ローラー運動器具１００と第２ローラー運動器具１００’とはローラー運動器具３００になるように対向してドッキングされてよい。
【００４７】
また、接続ロッド３２０は、ローラー運動器具３００における第１ローラー運動器具１００の第１中央貫通穴１１２及び第２中央貫通穴１２２を通り抜け、且つ第２ローラー運動器具１００’の第１中央貫通穴（別途に図示せず）及び第２中央貫通穴（別途に図示せず）を通り抜けることで、ローラー運動器具３００を接続ロッド３２０に枢転させてよい。
【００４８】
一実施例において、接続ロッド３２０にスナップリング３２２ａ及びスナップリング３２２ｂが設けられてよく、且つ接続ロッド３２０の両端に挿入部材３２４ａ及び挿入部材３２４ｂが形成されてよい。この場合、ハンドル３１０ａ及びハンドル３１０ｂは、接続ロッド３２０の両端にそれぞれ覆設されてよい。具体的に、接続ロッド３２０の挿入部材３２４ａ及び挿入部材３２４ｂはハンドル３１０ａのチャンバー（別途に図示せず）及びハンドル３１０ｂのチャンバー（別途に図示せず）に個別に挿入されてよい。また、スナップリング３２２ａ及びスナップリング３２２ｂは、個別にハンドル３１０ａの弾性係合部（別途に図示せず）及びハンドル３１０ｂの弾性係合部（別途に図示せず）により係合されてよい。
【００４９】
このように、組み合わせられたローラー運動器具３００、接続ロッド３２０、ハンドル３１０ａ及びハンドル３１０ｂにより運動器具３００’が形成され、更に使用者のローラー運動操作に好適に用いることができる。例えば、使用者は、公知の腹部ホイールを操作するような形態によって運動器具３００’を操作してよい。即ち、使用者は、両手でハンドル３１０ａ及びハンドル３１０ｂを握って、且つ立った姿勢又は跪いた姿勢で運動器具３００’を推し出して再び引き戻すことで、ボディービルディングの目的を達成することができる。
【００５０】
一実施例において、使用者は、ハンドル３１０ａ及びハンドル３１０ｂを接続ロッド３２０から取り外しようとする場合、ハンドル３１０ａ及びハンドル３１０ｂにおける着脱ボタン（別途に図示せず）をそれぞれ押し、更にハンドル３１０ａ及びハンドル３１０ｂにおける弾性係合部（別途に図示せず）に係合されたスナップリング３２２ａ及びスナップリング３２２ｂを解除させてよい。
【００５１】
理解すべきなのは、ローラー運動器具３００は、図３Ａ、図３Ｂ及び図３Ｃに示すハンドル３１０ａ、ハンドル３１０ｂ及び接続ロッド３２０に制限されず、その他のタイプのハンドル及び接続ロッドに合わせて運動器具３００’のような器具に組み合わせてもよい。例として、接続ロッド３２０は、ローラー運動器具３００を好適に通り抜ける如何なるロッド状物体に置き換えられてもよい。ハンドル３１０ａ及びハンドル３１０ｂは、このロッド状物体の両端に覆設され且つ使用者が好適に握る物体に置き換えられてもよい。ただし、本考案はこれに制限されない。
【００５２】
逆に、ハンドル３１０ａ、ハンドル３１０ｂ及び接続ロッド３２０は、図３Ａ、図３Ｂ及び図３Ｃに示すローラー運動器具３００に制限されず、その他のタイプのローラー運動器具に合わせて運動器具３００’のような器材に組み合わせてもよい。例えば、運動器具３００’は、接続ロッド３２０を通り抜けさせるための中央貫通穴を有する如何なるローラー運動器具に置き換えられてもよい。その後、使用者が握って前記運動操作を行うことに有利になるように、ハンドル３１０ａ及びハンドル３１０ｂは、上述と同様に、接続ロッド３２０の両端に覆設されてもよい。ただし、本考案はこれに制限されない。
【００５３】
（第４実施例）
図４Ａ、図４Ｂ及び図４Ｃを参照されたい。図４Ａは、本考案の一実施例によるローラー運動器具セット４００を組み立てる様子の上面図である。図４Ｂは、図４ＡのＡ−Ａ線分に沿う側面断面図である。図４Ｃは、図４Ａによる組み立てられたローラー運動器具セット４００を示す斜視図である。
本実施例において、ローラー運動器具セット４００は、第１ローラー運動器具１００、第２ローラー運動器具１００’、ハンドル３１０ａ及びハンドル３１０ｂを含んでよい。前記のように、ハンドル３１０ａ及びハンドル３１０ｂは、図２Ａに示すハンドル運動器具２００と同じであってもよい。この場合、第１ローラー運動器具１００のオスバックル１３２ａ及びオスバックル１３２ｂは、ハンドル運動器具２００のメスバックル２５０ａ及びメスバックル２５０ｂのそれぞれに係合されることができるため、ハンドル３１０ａにおけるメスバックル３１２ａ及びメスバックル３１２ｂのそれぞれに係合されることができる。このように、第１ローラー運動器具１００及びハンドル３１０ａは、運動器具４１０（例えば腕立て伏せ器具）として組み合わせることができる。同様な原理に基づいて、第２ローラー運動器具１００’及びハンドル３１０ｂは、運動器具４２０として組み合わせることもできる。
【００５４】
このように、使用者は、運動器具４１０及び運動器具４２０におけるハンドル３１０ａ及びハンドル３１０ｂを両手でそれぞれ握るだけで、腕立て伏せ操作を行うことができる。また、第１ローラー運動器具１００及び第２ローラー運動器具１００’の何れにも回転盤１２０が設けられるため、使用者は、腕立て伏せをする時に使用者の手首の回転に伴って回転し、更に人間工学に符合する運動モードを提供することができる。
【００５５】
一実施例において、ハンドル３１０ａには、第１ローラー運動器具１００の回転盤１２０がベース１１０において回転する回数を検出することで、使用者による腕立て伏せ回数を計算するセンサが更に設けられてよい。
【００５６】
一実施例において、使用者は、ハンドル３１０ａを第１ローラー運動器具１００から取り外しようとする場合、オスバックル１３２ａの係合状態を解除するために、例えば、第１ローラー運動器具１００における解除ボタン１３４を押すことで、ハンドル３１０ａにおけるメスバックル３１２ａを解除してハンドル３１０ａを取り外すことができる。
【００５７】
理解すべきなのは、ハンドル３１０ａ及びハンドル３１０ｂ以外、第１ローラー運動器具１００及び第２ローラー運動器具１００’は、更に、その他のタイプのハンドルに合わせて運動器具４１０及び運動器具４２０と同様な態様として形成することができる。例として、ハンドル３１０ａ及びハンドル３１０ｂは、メスバックルが設けられるその他のハンドルに置き換えられてもよい。これらのハンドルにおけるメスバックルは、第１ローラー運動器具１００及び第２ローラー運動器具１００’におけるオスバックルにマッチングされるだけで、第１ローラー運動器具１００及び第２ローラー運動器具１００’に組み合わせて運動器具４１０及び運動器具４２０と同様な態様として形成することで、使用者に前記の腕立て伏せ操作を行わせることができる。ただし、本考案はこれに制限されない。
【００５８】
逆に、第１ローラー運動器具１００及び第２ローラー運動器具１００’以外、ハンドル３１０ａ及びハンドル３１０ｂは、その他のタイプのローラー運動器具に合わせて運動器具４１０及び運動器具４２０と同様な態様として形成してもよい。例えば、第１ローラー運動器具１００及び第２ローラー運動器具１００’は、オスバックルが設けられたローラー運動器具に置き換えられてもよく、これらのローラー運動器具におけるオスバックルはハンドル３１０ａ及びハンドル３１０ｂにおけるメスバックルにマッチングされるだけで、ハンドル３１０ａ及びハンドル３１０ｂと組み合わせて運動器具４１０及び運動器具４２０と同様な態様として形成することで、使用者に前記の腕立て伏せ操作を行わせることができる。ただし、本考案はこれに制限されない。
【００５９】
（第５実施例）
図５Ａ及び図５Ｂを参照されたい。図５Ａは、本考案の一実施例による運動器具セット５００を組み立てる様子の模式図である。図５Ｂは、図５Ａによる組み立てられた運動器具セット５００を示す模式図である。
本実施例において、運動器具セット５００は、ハンドル３１０ａ、ハンドル３１０ｂ、第１ハンドルセット５１０ａ、第２ハンドルセット５１０ｂ及び弾性ロープ５２０を含む。第１ハンドルセット５１０ａは、Ｕ形状であり、且つそれぞれの両端に貫通穴５１２ａ及び貫通穴５１２ａ’が設けられる。第１ハンドルセット５１０ａにおける貫通穴５１２ａ及び貫通穴５１２ａ’が互いに揃える。第２ハンドルセット５１０ｂが第１ハンドルセット５１０ａと完全に同じであってよいため、以下、第２ハンドルセット５１０ｂの細部を詳しく説明しない。弾性ロープ５２０の両端がそれぞれ第１ハンドルセット５１０ａと第２ハンドルセット５１０ｂに接続される。
【００６０】
図５Ａに示すように、ハンドル３１０ａのハンドル本体は第１ハンドルセット５１０ａの貫通穴５１２ａ及び貫通穴５１２ａ’を通り抜けてよく、ハンドル３１０ｂのハンドル本体は第２ハンドルセット５１０ｂの貫通穴を通り抜けてよい。且つ組み合わせられたハンドル３１０ａ、ハンドル３１０ｂ、第１ハンドルセット５１０ａ、第２ハンドルセット５１０ｂ及び弾性ロープ５２０は、図５Ｂに示す運動器具セット５００（例えばプルロープ）を形成することができる。このように、使用者は、運動器具セット５００によって運動することができ、例えば、弾性ロープ５２０を踏み込む場合に、筋肉を鍛える目的を達成するために、両手でハンドル３１０ａ及びハンドル３１０ｂ等を引き上げる。
【００６１】
（第６実施例）
図６Ａ及び図６Ｂを参照されたい。図６Ａは、本考案の一実施例によるローラー運動器具セット６００を示す正面図である。図６Ｂは、図６Ａによるローラー運動器具セット６００を示す側面図である。
本実施例において、ローラー運動器具セット６００は、第１ローラー運動器具１００、第２ローラー運動器具１００’及びプルロープ６１０を含んでよい。プルロープ６１０は、弾性ロープ６１２、グリップ部６１４ａ及びグリップ部６１４ｂを含む。グリップ部６１４ａ及びグリップ部６１４ｂは、弾性ロープ６１２の両端に接続される。
【００６２】
図６Ａ及び図６Ｂに示すように、プルロープ６１０は図５Ａ及び図５Ｂに示す運動器具セット５００と同じであってもよい。即ち、グリップ部６１４ａはハンドル３１０ａ及び第１ハンドルセット５１０ａにより組み合わせてよく、グリップ部６１４ｂは、ハンドル３１０ｂ及び第２ハンドルセット５１０ｂにより組み合わせてよい。ただし、本考案はこれに制限されない。
【００６３】
本実施例において、弾性ロープ６１２は、第１ローラー運動器具１００及び第２ローラー運動器具１００’の位置決め溝１１４ａを通過して、更に、示されるローラー運動器具セット６００を形成することができる。
【００６４】
このように、使用者は、両足でそれぞれ第１ローラー運動器具１００の踏み部１５０及び第２ローラー運動器具１００’の踏み部（別途に図示せず）を踏み、且つ両手でグリップ部６１４ａ及びグリップ部６１４ｂを握る場合に、プルロープ６１０を使用しながら、第１ローラー運動器具１００及び第２ローラー運動器具１００’に合わせて腰を振る運動を行い、更に運動の変更性を増加することができる。なお、一実施例において、使用者は、第１ローラー運動器具１００及び第２ローラー運動器具１００’だけを踏んで腰を振る運動を行うこともできる。
【００６５】
注意する必要があるのは、第１ローラー運動器具１００及び第２ローラー運動器具１００’は、その他のタイプのプルロープに合わせてローラー運動器具セット６００のような器材に組み合わせてもよいが、図６Ａ及び図６Ｂに示すプルロープ６１０に制限されない。例えば、プルロープ６１０は、ハンドル及び弾性ロープを有する公知の如何なるプルロープに置き換えられてもよい。ただし、本考案はこれに制限されない。
【００６６】
逆に、プルロープ６１０は、その他のタイプの回転盤に合わせてローラー運動器具セット６００のような器材に組み合わせてもよいが、図６Ａ及び図６Ｂに示す第１ローラー運動器具１００及び第２ローラー運動器具１００’に制限されない。例えば、第１ローラー運動器具１００及び第２ローラー運動器具１００’は、使用者の両足の回転に伴って回転して且つ底部に弾性ロープ６１２を通過させることができる位置決め溝が設けられた如何なる器材に置き換えられてもよい。ただし、本考案はこれに制限されない。
【００６７】
（第７実施例）
図７Ａ、図７Ｂ及び図７Ｃを参照されたい。図７Ａは、本考案の一実施例による運動器具セット７００を示す上面図である。図７Ｂは、図７Ａによる運動器具セット７００を示す側面図である。図７Ｃは、図７Ａによる運動器具セット７００を示す底面図である。
本実施例において、運動器具セット７００は、運動器具３００’と、第１ハンドルセット５１０ａと、第２ハンドルセット５１０ｂと、弾性ロープ５２０と、膝パッド７１０と、を含む。運動器具３００’をハンドル３１０ａ及びハンドル３１０ｂによって第１ハンドルセット５１０ａ及び第２ハンドルセット５１０ｂに組み合わせる形態については、図５Ａ及び図５Ｂの関連説明を参照することができるので、ここで省略する。
【００６８】
膝パッド７１０の底部に、弾性ロープ５２０により巻き付けられることのできる複数の位置決め柱７１２が設けられる。このように、使用者は、両膝で膝パッド７１０に跪く場合、両手でハンドル３１０ａ及びハンドル３１０ｂを握って跪き姿のローラー運動を行うことができる。また、弾性ロープ５２０により提供された弾力は、使用者が運動器具３００’を引き戻すことを補助することに用いることで、運動の難度及び傷ついたリスクを減少することができる。
【００６９】
（第８実施例）
図８Ａ、図８Ｂ及び図８Ｃを参照されたい。図８Ａは、本考案の一実施例による運動器具セット８００を組み立てる様子の模式図である。図８Ｂは、図８Ａによるハンドルセット立てを示す模式図である。図８Ｃは、図８Ａによる組み立てられた運動器具セット８００を示す模式図である。
本実施例において、運動器具セット８００は、ロープ８１０、ハンドル３１０ａ及びハンドル３１０ｂを含む。ロープ８１０の両端に挿入部材８２０ａ及び挿入部材８２０ｂが設けられ、挿入部材８２０ａ及び挿入部材８２０ｂに個別にスナップリング８２２ａ及びスナップリング８２２ｂが設けられる。一実施例において、スナップリング８２２ａ及びスナップリング８２２ｂは、図３Ａ及び図３Ｂに示すスナップリング３２２ａ及びスナップリング３２２ｂと同じであってよい。ただし、これに制限されない。
【００７０】
図８Ａ及び図８Ｂに示すように、組み合わせられたロープ８１０、ハンドル３１０ａ及びハンドル３１０ｂが縄跳び操作に好適な縄跳び器材のような運動器具セット８００を形成するために、ロープ８１０の挿入部材８２０ａ及び挿入部材８２０ｂは個別にハンドル３１０ａのチャンバー及びハンドル３１０ｂのチャンバーに挿入されてよく、且つスナップリング８２２ａ及びスナップリング８２２ｂは個別にハンドル３１０ａの係合部及びハンドル３１０ｂの係合部により係合されてよい。
【００７１】
一実施例において、使用者は、ロープ８１０の挿入部材８２０ａ及び挿入部材８２０ｂをハンドル３１０ａ及びハンドル３１０ｂから取り外そうとする場合、ハンドル３１０ａ及びハンドル３１０ｂにおける着脱ボタン（別途に図示せず）をそれぞれ押し、更にハンドル３１０ａ及びハンドル３１０ｂにおける弾性係合部（別途に図示せず）に係合されたスナップリング８２２ａ及びスナップリング８２２ｂを解除させてよい。
【００７２】
一実施例において、ハンドル３１０ａ又はハンドル３１０ｂには、ロープ８１０の回転回数を検出することで、使用者が縄を跳ぶ回数を対応的に計算するためのセンサが更に設けられてよい。センサは、例えば重力センサであってよい。ただし、本考案はこれに制限されない。
【００７３】
（第９実施例）
図９を参照されたい。本考案の一実施例によるローラー運動器具９００を示す模式図である。本実施例において、ローラー運動器具９００は、ベース１１０、回転盤１２０、サポートシート１３０ａ、サポートシート１３０ｂ、当接部９４０ａ及び当接部９４０ｂを含む。ローラー運動器具９００において、ベース１１０、回転盤１２０、サポートシート１３０ａ及びサポートシート１３０ｂの構造及び接続関係は図１Ａ〜図１Ｃの関連説明をおおよそ参照することができるため、ここで省略する。注意すべきなのは、図９のローラー運動器具９００は、回転盤１２０の頂面１２４に設けられ、且つ第２直径Ｄ２の両端にそれぞれ位置する当接部９４０ａ及び当接部９４０ｂを含む。
【００７４】
本実施例において、当接部９４０ａ及び当接部９４０ｂは、同様な別のローラー運動器具にドッキングされることに有利であるように、それぞれクッションであってよい。具体的に、ローラー運動器具９００は同様なその他のローラー運動器具に対向するようにドッキングされる場合、ローラー運動器具９００のサポートシート１３０ａ及びサポートシート１３０ｂは他のローラー運動器具の当接部に当接されてよい。また、他のローラー運動器具のサポートシートはローラー運動器具９００の当接部９４０ａ及び当接部９４０ｂに当接されてもよい。そのため、図３Ａに示すローラー運動器具３００と同様な運動器具が形成され、使用者が前記のような運動操作を行わせるように、更に図３Ａに示すハンドル３１０ａ、ハンドル３１０ｂ及び接続ロッド３２０に合わせてもよく、ここで省略する。
【００７５】
前記クッションが設けられる場合、ローラー運動器具９００と同様な別のローラー運動器具との間の衝突を減少し、且つ組み合わせ及び取り外しがより容易にさせることができる。
【００７６】
他の点から、図１Ｂの第１ローラー運動器具１００に設けられたメスバックル１４０ａ及びメスバックル１４０ｂは当接部９４０ａ及び当接部９４０ｂの他の実施形態と見なされる。ただし、本考案はこれに制限されなくてよい。
【００７７】
（第１０実施例）
図１０Ａ、図１０Ｂ及び図１０Ｃを参照されたい。図１０Ａは、本考案の一実施例によるハンドル運動器具１０８０とローラー運動器具１０００を組み合わせる様子の側断面図である。図１０Ｂは、ローラー運動器具１０００を示す側面図である。図１０Ｃは、図１０Ａによるハンドル運動器具１０８０とローラー運動器具１０００を運動器具１０９０に組み合わせる様子の側断面図である。
本実施例において、ローラー運動器具１０００は、ベース１０１０、回転盤１０２０、サポートシート１０３０ａ、サポートシート１０３０ｂ及び当接部１０４０を含む。ローラー運動器具１０００において、ベース１０１０、回転盤１０２０及び当接部１０４０の構造及び接続関係は前述の実施例における関連説明を参照することができ、ここで省略する。
【００７８】
注意すべきなのは、互いに揃え且つ軸方向が第１直径部Ｄ１に平行である貫通穴１０５０ａ及び貫通穴１０５０ｂがサポートシート１０３０ａ及びサポートシート１０３０ｂに個別に設けられる。且つ、本実施例におけるオスバックル１０５２は貫通穴１０５０ａの下縁に設けられることができる。
【００７９】
また、本実施例のハンドル運動器具１０８０は、ハンドル本体１０８１、収納空間１０８２、係止部１０８３及びメスバックル１０８４を含む。使用者が握ることに有利であるように、ハンドル本体１０８１外に発泡体が被覆されてよい。収納空間１０８２はハンドル本体１０８１内に設けられて且つハンドル本体１０８１の軸方向１０８５に沿って設けられ、収納空間１０８２はハンドル本体１０８１の一端に向かう開口１０８２ａを有する。本実施例において、収納空間１０８２はチャンバーであるが、その他の実施例において、収納空間１０８２は貫通穴であってもよい。メスバックル１０８４はハンドル本体１０８１の底面に位置して且つハンドル本体１０８１の一端に近接する。
本実施例において、メスバックル１０８４及び開口１０８２ａはハンドル本体１０８１の同一端に位置してよいが、その他の実施例において、メスバックル１０８４は例えば開口１０８２ａが位置する箇所に反対する他の端に位置する。ただし、これに制限されない。係止部１０８３は収納空間１０８２内に設けられ、開口１０８２ａから収納空間１０８２に挿入されるプリセットアセンブリを係止することに用いる。
【００８０】
本実施例のハンドル運動器具１０８０の周囲の寸法は、貫通穴１０５０ａ及び貫通穴１０５０ｂのサイズに対応してよく、且つハンドル運動器具１０８０の長さは貫通穴１０５０ａと貫通穴１０５０ｂとの間の距離より大きくなることができる。この場合、ハンドル運動器具１０８０は図１０Ａに示すように順次に貫通穴１０５０ａ及び貫通穴１０５０ｂを通り抜けることができ、且つオスバックル１０５２がメスバックル１０８４と揃える場合、オスバックル１０５２はメスバックル１０８４を係止することができることで、図１０Ｃに示すような運動器具１０９０を形成する。
【００８１】
このように、使用者は運動器具１０９０によって例えば腕立て伏せ等の運動操作を行うことができる。ただし、本考案はこれに制限されなくてよい。
【００８２】
（第１１実施例）
図１１、図１２Ａ及び図１２Ｂを参照されたい。図１１は、本考案の第１１実施例による組み合わせた運動器具セットの斜視模式図である。図１２Ａは、図１１の部分断面拡大模式図である。図１２Ｂは、図１２Ａのスラストフィットネス模式図である。
本考案のこの実施例は、２つのハンドルｚ１１０、２つのアーチ状保護具ｚ１２０、弾性ロープｚ２００及び２つの管状グリップセットｚ３００を含むプルロープｚ１００であり、本考案の各特徴部材の詳しい説明を以下のように説明する。
【００８３】
ハンドルｚ１１０は、手のひらが握るように、図２Ａに示すハンドル運動器具２００と完全に同じであってよい。その他の実施例において、ハンドルｚ１１０はその他の取り外し可能な円柱状ロッドであってもよい。ただし、本考案はこれに制限されなくてよい。
【００８４】
アーチ状保護具ｚ１２０は図５Ａ〜図７Ｃに示す第１ハンドルセット５１０ａ及び第２ハンドルセット５１０ｂの変化態様であってよく、前記各実施例に述べた第１ハンドルセット５１０ａ及び第２ハンドルセット５１０ｂを置き換えることに用いることができる。ただし、本考案はこれに制限されなくてよい。
【００８５】
本実施例において、アーチ状保護具ｚ１２０は、Ｕ形状であってよく、且つ両端ｚ１２１、ｚ１２２と、伸長セグメントｚ１２３と、を有する。両端ｚ１２１、ｚ１２２がハンドルｚ１１０の両端に接続される。伸長セグメントｚ１２３とハンドルｚ１１０との間に握りスペースｚ１２０１が形成され、握りスペースｚ１２０１は、ほぼ開放している矩形になる。伸長セグメントｚ１２３は、握りスペースｚ１２０１に対応して対応する２つの位置決め穴ｚ１２３１、ｚ１２３２が設けられる。また、伸長セグメントｚ１２３に、異なる方向における２つの表面ｚ１２４、ｚ１２５が設けられ、アーチ状保護具ｚ１２０はまた伸長セグメントｚ１２３の異なる方向における２つの表面ｚ１２４、ｚ１２５にそれぞれ位置する２つの巻き付け部ｚ１２６を有し、前記巻き付け部ｚ１２６は凹陥溝ｚ１２６１及び凹陥溝ｚ１２６１内に位置するＴ形状の突出棒ｚ１２６２を含み、凹陥溝ｚ１２６１及びＴ形状の突出棒ｚ１２６２により弾性ロープｚ２００を効果的に巻き付くことができる。また伸長セグメントｚ１２３内には、前記２つの表面ｚ１２４、ｚ１２５の間に位置し、且つ一端が位置決め穴ｚ１２３１に対応的に繋がり、他端が外へ開放するように伸長セグメントｚ１２３の中央部に位置する曲折通路ｚ１２３３が設けられてよい。この曲折通路ｚ１２３３は、弾性ロープｚ２００を位置決めることに用い、且つ弾性ロープｚ２００が前記伸長セグメントｚ１２３の中央部に外へ伸びる。
【００８６】
伸縮操作を行うように、弾性ロープｚ２００の一端ｚ２０１が位置決められるようにアーチ状保護具ｚ１２０に接続されて、弾性ロープｚ２００が位置決められるように２つの位置決め穴ｚ１２３１、ｚ１２３２内に接続され、且つ握りスペースｚ１２０１を通過する。弾性ロープｚ２００の他端が他のアーチ状保護具ｚ１２０（他のグループのハンドルｚ１１０、アーチ状保護具ｚ１２０及び管状グリップセットｚ３００の組み合わせ及び設計は何れも完全に同じであるため、ここで省略する）に接続される。
【００８７】
前記管状グリップセットｚ３００は、軟質材料で製造された中空円筒体であり、２つの位置決め穴ｚ１２３１、ｚ１２３２の間に位置し、且つ弾性ロープｚ２００外に覆設されるため、伸長セグメントｚ１２３とハンドルｚ１１０との間の握りスペースｚ１２０１に位置し、管状グリップセットｚ３００により使用者の指が直接引きやすい。
【００８８】
また図１３、図１４Ａ及び図１５を参照されたい。図１３は、プルロープｚ１００の操作模式図である。図１４Ａは、プルロープｚ１００の弾性ロープｚ２００の重なり合い伸縮数を示す操作模式図である。図１５は、図１４の部分領域ｚ５を示す拡大透視図である。以上の図面の詳しい構造操作については、下記のように説明する。
【００８９】
使用者の手のひらｚＡは、ハンドルｚ１１０を安定に握ることができる。それと同時に、使用者の４つの指ｚＢは、直接前記管状グリップセットｚ３００を引き、管状グリップセットｚ３００が弾性ロープｚ２００外に覆設されるため、管状グリップセットｚ３００が十分な復元弾力を提供することができる。このように、本考案の管状グリップセットｚ３００によれば、使用者の指ｚＢが直接引きやすく、使用者のために握力トレーニングとしての操作を提供する効果を達成させる。
【００９０】
同様に、本考案は、２組のハンドルｚ１１０及び２組のアーチ状保護具ｚ１２０を使用して、往復伸縮引き運動を行ってよい。勿論、１組のハンドルｚ１１０及び１組のアーチ状保護具ｚ１２０のみを使用して、弾性ロープｚ２００に合わせて、固定された壁面又は運動用のフットパッド（図示せず）に接続されることで、スポーツフィットネス機能を発揮することもできる。
【００９１】
（第１２実施例）
図１６、図１７及び図１８を参照されたい。図１６は、第１２実施例による運動器具セットの分解斜視図である。図１７は、図１６のプルロープを示す側視模式図である。図１８は、図１６のプルロープの組み合わせ状態を示す斜視図である。
考案第１２実施例は、同様にプルロープｚ１００である。プルロープｚ１００は、独立したロッド状のハンドルｚ１１０、アーチ状保護具ｚ１２０、弾性ロープｚ２００及び管状グリップセットｚ３００を含む。考案各特徴部材の前記第１１実施例と同様な部分については、別途に説明しないが、第１２実施例の改良された構造を以下のように詳しく説明する。
【００９２】
アーチ状保護具ｚ１２０の伸長セグメントｚ１２３の同一側に対応的に傾斜した２つの開放位置決め溝ｚ４００が設けられる。開放位置決め溝ｚ４００内の何れにも係止用突起ｚ４０１が製造され、係止用突起ｚ４０１が開放位置決め溝ｚ４００に合わせて弾性ロープｚ２００を安定に位置決めする。また、弾性ロープｚ２００外に穿設される中空接続ヘッドｚ５００を更に含み、且つ弾性ロープｚ２００の前記端ｚ２０１が中空接続ヘッドｚ５００に巻き付かれて位置決めされ、弾性ロープｚ２００が２つの開放位置決め溝ｚ４００を回って通過した後で中空接続ヘッドｚ５００に接続して位置決めされる。
【００９３】
この設計によって、使用者は、係止用突起ｚ４０１で開放位置決め溝ｚ４００に合わせて弾性ロープｚ２００を迅速で安定に位置決め、或いは、弾性ロープｚ２００を迅速に取り外すことができる。中空接続ヘッドｚ５００の設計によりも、アーチ状保護具ｚ１２０の構造の複雑さを簡単化させ、各素子の構造を合理化することもできる。
【００９４】
上記の実施形態から分かるように、図１１〜図１８におけるプルロープは、下記の利点を有する。第一、使用者のために握力トレーニングとしての操作を提供することができる。第二、握力トレーニングを行うと同時に、依然として伸縮プル動作の胸の動きを広げる運動操作又は腕上げストレッチ運動を行うこともできる。第三、巻き付け部は、弾性ロープを対応的に安定に巻き付いて変換させ、且つ必要に応じて弾性ロープを伸縮する重なり合い伸縮数を変更し、更に操作時の引き力を変更する。
【００９５】
以上のように、本考案が提案したローラー運動器具は、例えば、ハンドル運動器具、他のローラー運動器具、プルロープ及び膝パッド等の異なる器材に合わせて多樣化の運動器具セットを組成することができる。また、使用者が簡単に組み立てるだけで運動の方式を変えることができるため、本考案のローラー運動器具は、多くの変更性を提供することで、使用者の運動意欲を効果的に向上させて、使用者の運動効果を改善することができる。
【符号の説明】
【００９６】
１００  第１ローラー運動器具
１００’  第２ローラー運動器具
１１０、１０１０  ベース
１１２  第１中央貫通穴
１１４、２１６  底面
１１４ａ  位置決め溝
１２０、１０２０  回転盤
１２２  第２中央貫通穴
１２４、２１４  頂面
１３０ａ、１３０ｂ、１０３０ａ、１０３０ｂ  サポートシート
１３２ａ、１３２ａ’、１３２ｂ、１０５２  オスバックル
１３４  解除ボタン
１４０ａ、１４０ａ’、１４０ｂ、１４０ｂ’、２５０ａ、２５０ｂ、３１２ａ、３１２ｂ、１０８４  メスバックル
１５０  踏み部
２００、１０８０  ハンドル運動器具
２１０、１０８１  ハンドル本体
２１２  軸方向
２２０  チャンバー
２２２、１０８２ａ  開口
２３０  弾性係合部
２４０  着脱ボタン
３００、９００、１０００  ローラー運動器具
３００’、 ４１０、４２０、１０９０  運動器具
３１０ａ、３１０ｂ、ｚ１１０  ハンドル
３２０  接続ロッド
３２２ａ、３２２ｂ  スナップリング
３２４ａ、３２４ｂ、８２０ａ、８２０ｂ  挿入部材
４００、５００、７００、８００  運動器具セット
５１０ａ  第１ハンドルセット
５１２ａ、５１２ａ’  貫通穴
５１０ｂ  第２ハンドルセット
５２０、６１２、ｚ２００  弾性ロープ
６００  ローラー運動器具セット
６１０、ｚ１００  プルロープ
６１４ａ、６１４ｂ  グリップ部
７１０  膝パッド
７１２  位置決め柱
８１０  ロープ
８２２ａ、８２２ｂ  スナップリング
９４０ａ、９４０ｂ、１０４０  当接部
１０５０ａ、１０５０ｂ  貫通穴
１０８２  収納空間
１０８３  係止部
１０８５  軸方向
Ｄ１  第１直径部
Ｄ２  第２直径部
ＤＤ  プリセット距離
Ｎ１  法線方向
ｚ１２０  アーチ状保護具
ｚ１２０１  握りスペース
ｚ１２１、ｚ１２２、ｚ２０１  端
ｚ１２３  伸長セグメント
ｚ１２３１、ｚ１２３２  位置決め穴
ｚ１２３３  曲折通路
ｚ１２４、ｚ１２５  表面
ｚ１２６  巻き付け部
ｚ１２６１  凹陥溝
ｚ１２６２  Ｔ形状の突出棒
ｚ３００  管状グリップセット
ｚ４００  開放位置決め溝
ｚ４０１  係止用突起
ｚ５  部分領域
ｚ５００  中空接続ヘッド
ｚＡ  手のひら
ｚＢ  指
【図１Ａ】
0003215072.tif 000003
【図１Ｂ】
0003215072.tif 000004
【図１Ｃ】
0003215072.tif 000005
【図２Ａ】
0003215072.tif 000006
【図２Ｂ】
0003215072.tif 000007
【図２Ｃ】
0003215072.tif 000008
【図３Ａ】
0003215072.tif 000009
【図３Ｂ】
0003215072.tif 000010
【図３Ｃ】
0003215072.tif 000011
【図４Ａ】
0003215072.tif 000012
【図４Ｂ】
0003215072.tif 000013
【図４Ｃ】
0003215072.tif 000014
【図５Ａ】
0003215072.tif 000015
【図５Ｂ】
0003215072.tif 000016
【図６Ａ】
0003215072.tif 000017
【図６Ｂ】
0003215072.tif 000018
【図７Ａ】
0003215072.tif 000019
【図７Ｂ】
0003215072.tif 000020
【図７Ｃ】
0003215072.tif 000021
【図８Ａ】
0003215072.tif 000022
【図８Ｂ】
0003215072.tif 000023
【図８Ｃ】
0003215072.tif 000024
【図９】
0003215072.tif 000025
【図１０Ａ】
0003215072.tif 000026
【図１０Ｂ】
0003215072.tif 000027
【図１０Ｃ】
0003215072.tif 000028
【図１１】
0003215072.tif 000029
【図１２Ａ】
0003215072.tif 000030
【図１２Ｂ】
0003215072.tif 000031
【図１３】
0003215072.tif 000032
【図１４】
0003215072.tif 000033
【図１５】
0003215072.tif 000034
【図１６】
0003215072.tif 000035
【図１７】
0003215072.tif 000036
【図１８】
0003215072.tif 000037